(57)【特許請求の範囲】
【請求項１】
底面板と前斜面板と後斜面板と糊代片とを、それぞれ折り目線を介して連設し、糊代片を底面板に貼着し、三角柱状に形成した集積ホルダーであって、前斜面板と後斜面板の左右端部に両者にまたがる円弧状の切り欠きを設けたことを特徴とするカップ容器等の集積ホルダー。
【請求項２】
前記底面板の中央に左右方向の折り目線を設けたことを特徴とする請求項１記載のカップ容器等の集積ホルダー。
【請求項３】
前記前斜面板と後斜面板の両者にまたがる楕円形状の孔を１個または複数個設けたことを特徴とする請求項１または２記載のカップ容器等の集積ホルダー。
【請求項４】
前記円弧状の切り欠きおよび楕円形状の孔の両端がカップ容器等の外周面に当接するように形成したことを特徴とする請求項１、２または３記載のカップ容器等の集積ホルダー。
【発明の詳細な説明】
【０００１】
【発明の属する技術分野】
本発明は、アイスクリーム、プリン、ヨーグルトなどのデザート食品または、茶碗蒸しや納豆などの食品を収容した２個または３個以上のカップ容器等を１列に並べてシュリンク包装する三角柱状のカップ容器等の集積ホルダーに関する。
【０００２】
【従来の技術】
従来、アイスクリーム、プリン、ヨーグルトなどのデザート食品などを収容した２個または３個以上のカップ容器を１列に並べてシュリンク包装するものとして、図３に示すような、それぞれ横長の底面板２０と前面板３１と後面板４１とを、それぞれ折り目線ｃを介して連設したＵ字溝状の輸送や店頭などでの展示、纏め買いなどに便利な集積ホルダーが一般に広く用いられている。
【０００３】
また、同様にデザート食品などを収容した２個または３個以上のカップ容器を、１列に並べてそれぞれの上部フランジを切り込みｅに挿入して繋止する、図４に示すような、それぞれ横長の上面板２１と前面板３１と後面板４１とを、それぞれ折り目線ｃと切り込みｅとを介して連設した逆Ｕ字溝状の輸送や店頭などでの展示、纏め買いなどに便利な集積ホルダーも一般に広く用いられている。さらに、上述の集積ホルダーに商品を繋止した後、シュリンク包装して用いられる場合もある。
【０００４】
【発明が解決しようとする課題】
ところが従来の輸送や店頭などでの展示、纏め買いなどに便利な、図３に示すＵ字溝状のカップ容器の集積ホルダーについては、アイスクリームやプリンやヨーグルトなどのデザート食品等を収容した２個または３個以上のカップ容器を、底面板２０の上に１列に並べて載置するだけで、簡単にシュリンク包装できる工程が簡単で作製費用が廉価なカップ容器の集積ホルダーであるものの、シュリンク包装する際にカップ容器５０の左右方向が固定されていないために、カップ容器５０が傾いたりカップ容器５０のフランジ部などが重なり合ったりする恐れがあって、シュリンク包装時の安定性や商品の展示効果などに問題があった。
【０００５】
また従来の、輸送・展示や纏め買いなどに便利な、図４に示す逆Ｕ字溝状のカップ容器等の集積ホルダーについては、同様にデザート食品などを収容した２個または３個以上のカップ容器を、上面板２１の下に１列に並べて、それぞれの上部フランジを切り込みｅに挿入するだけで、簡単に繋止できる工程が簡単で作製費用が廉価なカップ容器の集積ホルダーであるものの、輸送・展示や纏め買いなどの取扱い時に、カップ容器５０の下部が固定されていないために、集積ホルダーが曲ってカップ容器５０が脱落する恐れがあって、加えてシュリンク包装していないために、カップ容器５０が汚染される恐れがあって取扱い時の安全・衛生面や商品の展示効果などに問題があった。
【０００６】
なお、前述した図４に示す逆Ｕ字溝状のカップ容器の集積ホルダーにおいて、２個または３個以上のカップ容器を繋止した状態で、シュリンク包装した場合には、同様にカップ容器５０の下部が固定されていないために、左右のカップ容器５０・５０の下部が引寄せられるなどして、集積ホルダーが曲がるなどの変形をおこし、商品の体裁を損なう恐れがあった。
【０００７】
ところで、本発明の目的は、アイスクリーム、プリン、ヨーグルトなどのデザート食品等を収容した２個または３個以上のカップ容器を、１列に並べてシュリンク包装する、シュリンク包装時の安定性や商品の展示効果などが優れた、工程が簡単で作製費用が廉価な三角柱状のカップ容器等の集積ホルダーを提供することにある。
【０００８】
【課題を解決するための手段】
本発明のカップ容器等の集積ホルダーの第１の発明は、図１に示すように、底面板２０と前斜面板３０と後斜面板４０と糊代片４２とを、それぞれ折り目線ｃを介して連設し、糊代片４２を底面板２０に貼着し、三角柱状に形成した集積ホルダーであって、前斜面板３０と後斜面板４０の左右端部に両者にまたがる円弧状の切り欠きｂを設けたことを特徴とするカップ容器等の集積ホルダーである。
【０００９】
また、第２の発明は、第１の発明において、図１に示すように、底面板２０の中央に左右方向の折り目線ａを設けたことを特徴とするカップ容器等の集積ホルダーである。
【００１０】
また、第３の発明は、第１および第２の発明において、図２に示すように、前斜面板３０と後斜面板４０の両者にまたがる楕円形状の孔ｄを１個または複数個設けたことを特徴とするカップ容器等の集積ホルダーである。
【００１１】
また、第４の発明は、第１、第２および第３の発明において、図２に示すように、円弧状の切り欠きｂおよび楕円形状の孔ｄの両端がカップ容器等５０の外周面に当接するように形成したことを特徴とするカップ容器等の集積ホルダーである。
【００１２】
【作用】
本発明のカップ容器等の集積ホルダーにおいては、底面板２０と前斜面板３０と後斜面板４０とを、それぞれ折り目線ｃを介して連設した三角柱状の集積ホルダーであって、底面板２０の中央に、左右方向の折り目線ａを設けて、また前斜面板３０と後斜面板４０の左右端部に、両者にまたがる２個の円弧状の切り欠きｂ・ｂを設けたことによって、図１Ｂに示すように、アイスクリームやプリンやヨーグルトなどのデザート食品などを収容した２個のカップ容器５０・５０を、それぞれ底面板２０にまで貫通してカップ容器５０の傾斜断面形状に等しい、１列に並んだ２個の円弧状の切り欠きｂ・ｂに挿入して繋止するだけで、簡単にシュリンク包装できる、またシュリンク包装した時に、それぞれのカップ容器５０がそれぞれの円弧状の切り欠きｂに、隙間なく確実に繋止されているために、カップ容器５０が傾いたりカップ容器５０の上部が重なり合ったりする恐れがない、シュリンク包装時の安定性や商品の展示効果などが優れた三角柱状のカップ容器等の集積ホルダーを提供することができる。
【００１３】
しかも、本発明のカップ容器等の集積ホルダーにおいては、デザート食品などを収容した２個のカップ容器５０・５０を、１列に並んだ２個の円弧状の切り欠きｂ・ｂに挿入して繋止した時に、図１Ｂに示すように、前斜面板３０（又は後斜面板４０）が、顧客が見易い角度の山形状の傾斜面を形成して、顧客に強くアピールできるものであって、他に類を見ない新規性を有する商品の展示効果が優れた三角柱状のカップ容器等の集積ホルダーを提供することができる。
【００１４】
加えて、本発明のカップ容器等の集積ホルダーにおいては、底面板２０の中央に、左右方向の折り目線ａを設けたことによって、三角柱状の集積ホルダーを平坦に折畳むことができるために、作製工程や取扱い時などに、嵩張らないばかりではなくて、デザート食品などを収容した２個のカップ容器５０・５０を、１列に並んだ２個の円弧状の切り欠きｂ・ｂに挿入して繋止した時に、それぞれのカップ容器５０の重量で谷折りした部分がフラット状に開かれ、集積ホルダーを三角柱状に確実に保持（丸く膨らむことがない）できる、保形性が優れた三角柱状のカップ容器等の集積ホルダーを提供することができる。
【００１５】
また、本発明のカップ容器等の集積ホルダーにおいては、前斜面板３０と後斜面板４０の両者にまたがる楕円形状の孔ｄを１個または複数個設けたことによって、図２Ｂに示すように、デザート食品などを収容した３個以上のカップ容器５０・５０・５０を、それぞれ円弧状の切り欠きｂ・ｂおよび楕円形状の孔ｄに挿入して繋止するだけで、簡単にシュリンク包装できる、またシュリンク包装した時にそれぞれのカップ容器５０が円弧状の切り欠きｂもしくは楕円形状の孔ｄに隙間なく確実に繋止されているために、カップ容器５０が傾いたりカップ容器５０のフランジ部が重なり合ったりする恐れがない、シュリンク包装時の安定性や商品の展示効果などが優れた三角柱状のカップ容器等の集積ホルダーを提供することができる。
【００１６】
【発明の実施の形態】
本発明のカップ容器等の集積ホルダーについては、後述する実施例に示すように、通常の印刷をした適宜の板紙などを用いて、通常の打抜型を用いた打抜工程で、無駄が少ない長方形状のカップ容器等の集積ホルダーのブランクを作製して、通常の接着剤を用いた機械的な貼着工程で、底面板と糊代片とを貼着して、平坦に折畳んだ状態の嵩張らない三角柱状に製箱できる、工程が簡単で作製費用が廉価な三角柱状のカップ容器の集積ホルダーを提供することができる。
【００１７】
【実施例】
＜実施例１＞
図１Ａは、本発明の実施例１における、カップ容器等の集積ホルダーのブランクの平面図であって、また図１Ｂは、本発明の実施例１における、カップ容器等の集積ホルダーの斜視図である。
【００１８】
すなわち、底面板２０と前斜面板３０と後斜面板４０と糊代片４２とを、それぞれ折り目線ｃを介して連設して、底面板２０の中央に、左右方向の折り目線ａを設けて、糊代片４２を底面板２０に貼着し、三角柱状に形成した集積ホルダーであって、前斜面板３０と後斜面板４０の左右端部に両者にまたがる円弧状の切り欠きｂを設けた、図１Ａに示すカップ容器等の集積ホルダーのブランクであって、表面に通常の印刷をした３１０ｇ／ｍ2 の裏クラフトボール紙を用いて、通常の打抜型を用いた打抜工程で、底面板の縦・横が５６×１９６ｍｍの無駄が少ない長方形状のカップ容器等の集積ホルダーのブランクを作製した。
【００１９】
次に、図１Ａに示すカップ容器等の集積ホルダーのブランクの、３本の折り目線ｃ・ｃ・ｃを山折り（印刷をした面が表面になる；以下同じ）して、また折り目線ａを谷折り（印刷をした面が裏面になる；以下同じ）して、通常の接着剤を用いた機械的な貼着工程で底面板２０と糊代片４２とを貼着して、図示していない平坦に折畳んだ状態の嵩張らない三角柱状のカップ容器等の集積ホルダーを作製した。
【００２０】
続いて、この平坦に折畳んだ状態のカップ容器等の集積ホルダーを、折り目線ａを開くなどして三角柱状に形成した後に、図１Ｂに示すように、９５ｇのプレーンヨーグルトを収容した２個のカップ容器５０・５０を、それぞれ前斜面板３０と後斜面板４０の両者にまたがる円弧状の切り欠きｂ・ｂに挿入して繋止して通常のシュリンク包装したところ、カップ容器がそれぞれの円弧状の切り欠きに、隙間なく確実に繋止されているために、カップ容器５０が傾いたり、カップ容器５０のフランジ部が重なり合ったりする恐れがない、しかも前斜面板３０（又は後斜面板４０）が、顧客が見易い角度で山形状の傾斜面を形成しているため、顧客に強くアピールできる、シュリンク包装時の安定性や商品の展示効果などが優れた、工程が簡単で作製費用が廉価な三角柱状のカップ容器等の集積ホルダーを得ることができた。
【００２１】
＜実施例２＞
図２Ａは、本発明の実施例２における、カップ容器等の集積ホルダーのブランクの平面図であって、また図２Ｂは、本発明の実施例２における、カップ容器等の集積ホルダーの斜視図であって、図２Ｃは、本発明の実施例２における、カップ容器等を集積ホルダーにセットした使用状態を示す斜視図である。
【００２２】
すなわち、底面板２０と前斜面板３０と後斜面板４０と糊代片４２とを、それぞれ折り目線ｃを介して連設し、糊代片４２を底面板２０に貼着し、三角柱状に形成した集積ホルダーであって、底面板２０の中央に左右方向の折り目線ａを設け、前斜面板３０と後斜面板４０の左右端部に両者にまたがる楕円形状の孔ｄを１個設けた、図２Ａに示すカップ容器等の集積ホルダーのブランクであって、実施例１と同様に、表面に通常の印刷をした３５０ｇ／ｍ2 の裏クラフトボール紙を用いて、通常の打抜型を用いた打抜工程で、底面板２０の縦・横が５６×３５０ｍｍの無駄が少ない長方形状のカップ容器等の集積ホルダーのブランクを作製した。
【００２３】
次に、図２Ａに示すカップ容器等の集積ホルダーのブランクの、３本の折り目線ｃ・ｃ・ｃを山折りして、また折り目線ａを谷折りして、実施例１と同様に、通常の接着剤を用いた機械的な貼着工程で、底面板２０と糊代片４２とを貼着して、図示していない平坦に折畳んだ状態の嵩張らない三角柱状のカップ容器等の集積ホルダーを作製した。
【００２４】
続いて、この平坦に折畳んだ状態のカップ容器等の集積ホルダーを、折り目線ａを開くなどして三角柱状に形成した後に、図２Ｂに示すように、９５ｇのプレーンヨーグルトを収容した３個のカップ容器５０・５０・５０を、それぞれ円弧状の切り欠きｂ・ｂおよび楕円形状の孔ｄに挿入して繋止して、通常のシュリンク包装したところ、それぞれのカップ容器５０が円弧状の切り欠きｂもしくは楕円形状の孔ｄに隙間なく確実に繋止されているために、実施例１と同様にカップ容器５０が傾いたりカップ容器５０のフランジ部が重なり合ったりする恐れがない、しかも前斜面板３０（又は後斜面板４０）が、顧客が見易い角度の傾斜面を形成して、実施例１と同様に顧客に強くアピールできる、シュリンク包装時の安定性や商品の展示効果などが優れた、工程が簡単で作製費用が廉価な三角柱状のカップ容器等の集積ホルダーを得ることができた。
【００２５】
なお、本実施例のカップ容器等の集積ホルダーについては、図２Ｂに示すように、前斜面板３０と後斜面板４０との左右端部に、それぞれ両者にまたがる円弧状の切り欠きｂ・ｂを、中央付近には両者にまたがる楕円形状の孔ｄを設けたことによって、実施例１とは異なって、左右のカップ容器５０・５０がこの円弧状の切り欠きｂ・ｂに、隙間なく確実に繋止されているために、輸送や店頭での展示、纏め買いなどの取扱い時に、左右のカップ容器５０・５０が脱落する恐れが少なくて、カップ容器５０が汚染される恐れがないなどの取扱い時の衛生面の条件さえ整えば、シュリンク包装を省略できる三角柱状のカップ容器等の集積ホルダーが得られた。
【００２６】
【発明の効果】
以上、作用及び実施例に示すとおり、本発明のカップ容器等の集積ホルダーにおいては、アイスクリームやプリンやヨーグルトなどのデザート食品などを収容した２個又は３個以上のカップ容器を、それぞれ前斜面板と後斜面板の両者にまたがる円弧状の切り欠きもしくは楕円形状の孔に挿入して繋止するだけで、簡単にシュリンク包装できる、またシュリンク包装した際、それぞれのカップ容器が円弧状の切り欠きもしくは楕円形状の孔に隙間なく確実に繋止されているため、カップ容器が傾いたりカップ容器のフランジ部が重なり合ったりする恐れがない、シュリンク包装時の安定性や商品の展示効果などが優れた工程が簡単で作製費用が廉価な三角柱状のカップ容器等の集積ホルダーを提供することができる。
【００２７】
しかも、本発明のカップ容器等の集積ホルダーにおいては、デザート食品などを収容した２個又は３個以上のカップ容器を、１列に並んだ円弧状の切り欠きもしくは楕円形状の孔に挿入して繋止した時に、前斜面板（又は後斜面板）が、顧客が見易い角度の傾斜面を形成して、顧客に強くアピールできるものであって、他に類を見ない新規性を有する、商品の展示効果が優れた三角柱状のカップ容器等の集積ホルダーを提供することができる。
【００２８】
加えて、本発明のカップ容器等の集積ホルダーにおいては、三角柱状の集積ホルダーを平坦に折畳むことができるために、作製工程や取扱い時などに、嵩張らないばかりではなくて、デザート食品類を収容した２個又は３個以上のカップ容器を、１列に並んだ円弧状の切り欠きもしくは楕円形状の孔に挿入して繋止した時に、それぞれのカップ容器の重量で谷折りした部分がフラット状に開かれ、集積ホルダーを三角柱状に確実に保持（丸く膨らむことがない）できる、保形性が優れた三角柱状のカップ容器の集積ホルダーを提供することができる。
【図面の簡単な説明】
【図１】本発明の実施例１における、図１Ａはカップ容器等の集積ホルダーのブランクの平面図であり、また図１Ｂはカップ容器等の集積ホルダーの斜視図である。
【図２】本発明の実施例２における、図２Ａはカップ容器等の集積ホルダーのブランクの平面図であり、また図２Ｂはカップ容器等の集積ホルダーの斜視図であり、図２Ｃはカップ容器等を集積ホルダーにセットした使用状態を示す斜視図である。
【図３】図３Ａは従来のカップ容器等の集積ホルダーのブランクの平面図であり、また図３Ｂは従来のカップ容器等の集積ホルダーの使用状態を示す斜視図である。
【図４】図４Ａは従来のカップ容器の集積ホルダーのブランクの平面図であり、また図４Ｂは従来のカップ容器の集積ホルダーの使用状態を示す斜視図である。
【符号の説明】
２０  …底面板
２１  …上面板
３０  …前斜面板
３１  …前面板
４０  …後斜面板
４１  …後面板
４２  …糊代片
５０  …カップ容器
ａ    …折り目線
ｂ    …切り欠き
ｃ    …折り目線
ｄ    …孔
ｅ    …切り込み
【図１】
0003921789.tif 000002
【図２】
0003921789.tif 000003
【図３】
0003921789.tif 000004
【図４】
0003921789.tif 000005